(57)【要約】【課題】異種類の組立体間での一方のランプユニットが他方の組み込み部材に組み込まれることを、容易に防止できるようにしたランプユニットシステム、該ランプユニットシステムによる投射型画像表示装置を提供する。【解決手段】ランプユニットシステムを構成するに当たり、  ランプユニットと、前記ランプユニットを投射型画像表示装置の筐体ユニットに収納するための収納部材とを有し、  前記ランプユニット及び前記収納部材は、予め定められた種類のランプユニットとは異なる種類のランプユニットが前記収納部材へ組み込まれることを防止する防止手段７７、７８を有する構成とする。【選択図】            図９
2007212718.tif 000002
【特許請求の範囲】
【請求項１】
ランプユニットと、前記ランプユニットを投射型画像表示装置の筐体ユニットに収納するための収納部材とを有し、
前記ランプユニット及び前記収納部材は、予め定められた種類のランプユニットとは異なる種類のランプユニットが前記収納部材へ組み込まれることを防止する防止手段を有することを特徴とするランプユニットシステム。
【請求項２】
前記防止手段は、前記ランプユニット及び収納部材に取外し可能であることを特徴とする請求項１に記載のランプユニットシステム。
【請求項３】
前記ランプユニットの防止手段は突出部で構成され、予め定められた種類のランプユニットとは異なる種類のランプユニットと前記収納部材を組み合わせた場合には、
前記突出部が前記収納部材の防止手段に当接し、前記収納部材への前記ランプユニットの組み込みが阻止されることを特徴とする請求項１または２のいずれか１項に記載のランプユニットシステム。
【請求項４】
前記収納部材の防止手段は突出部で構成され、予め定められた種類のランプユニットとは異なる種類のランプユニットと前記収納部材を組み合わせた場合には、
前記突出部が前記ランプユニットの防止手段に当接し、前記収納部材への前記ランプユニットの組み込みが阻止されることを特徴とする請求項１または２のいずれか１項に記載のランプユニットシステム。
【請求項５】
前記ランプユニット及び前記収納部材の防止手段は突出部で構成され、
予め定められた種類のランプユニットとは異なる種類のランプユニットと前記収納部材を組み合わせた場合には、
前記ランプユニット及び前記収納部材の前記突出部が相互に当接し、前記組み込み部材への前記ランプユニットの組み込みが阻止されることを特徴とする請求項１または２のいずれか１項に記載のランプユニットシステム。
【請求項６】
請求項１〜５のいずれか１項に記載のランプユニットシステムを用いて構成されることを特徴とする投射型画像表示装置。
【発明の詳細な説明】
【技術分野】
【０００１】
本発明は、ランプユニットシステム、該ランプユニットシステムによる投射型画像表示装置に関する。
特に、光源からの光を液晶パネル等の表示部を通してスクリーンに拡大投射するプロジェクター装置等のランプユニットシステム、該ランプユニットシステムを用いて構成される投射型画像表示装置に関するものである。
【背景技術】
【０００２】
プロジェクターは広範に使用されており、今後も様々な用途で使われる可能性があり、さらにプロジェクターの市場はより一層拡大していく傾向にある。
このようなプロジェクターは、大別して、主にビジネス市場にて使用される照度が高いモデル（以下ビジネスモデル）と、主に一般家庭市場にて映画鑑賞等に使用される照度の低いモデル（以下ホームモデル）がある。
これらのホームモデル、ビジネスモデルのどちらにおいても、低価格化を図ることが望まれており、低価格化を実現するためには、仕様の削減か、部品点数の削減か、または、部品単価の削減等が必要となる。
これらを考慮すると、複数の機種に亙り部品の共通化を行うことが必要となる。
【０００３】
上記したとおり、プロジェクターは照度が高いタイプのビジネスモデルと、照度が低いタイプのホームモデルに分かれるが、現在プロジェクターの光源に主に用いられる超高圧水銀ランプは、発光管と、発光管からの光を反射させるリフレクタを備えている。
光源出力は、ホームモデルで１００〜２００［Ｗ］、ビジネスモデルで２００〜３００［Ｗ］が主流であり、ホームモデルとビジネスモデルではそれぞれに合った発光管を採用するため、あるいは安定点灯を行うために発光管形状が異なる。さらに、光源を点灯させるために光源用点灯装置が必要であり、ホームモデルとビジネスモデルで光源点灯装置は光源出力が異なるため仕様が異なる。
尚、プロジェクターは光源に寿命があり、一定期間を過ぎると光源を交換する必要があるため、光源を保持する光源保持部材を含む光源ユニットは筐体側に搭載された光源点灯装置と、プラグとソケットによるコネクタで脱着可能に装着される。
【０００４】
また、光学系は主として、ビジネスモデルは会議室等の広い場所で部屋が明るい状態で使用されるため、明るさが優先される。
ホームモデルはリビングルーム等のそれほど広くない場所で部屋を暗くして使用されるため、コントラストが優先される。
そのため、ホームモデルとビジネスモデルでは使われる目的が異なるため光学系が異なる。
ホームモデル及びビジネスモデルの両方に使用可能である低コストな光学系は、例えば、ビジネスモデルの光学系に、部品の追加あるいは交換のみでホームモデルの光学系に変更可能であることが必要である。
この場合、主に一体化によって作られる光学系及び光源を保持する部材を共通化しておくことが必要となる。
【０００５】
ここで、複数のプロジェクター機種についてコスト低減のため光源及び光源用点灯装置以外の部品の共通化を行った場合、ホームモデルとビジネスモデルにおいて、異なるモデルにそれぞれの交換ランプユニットが組込み可能となる。
その際、例えばホームモデルの光源ユニットにビジネスモデルの光源点灯装置が組み込まれてしまうと、光源の短寿命化や照度不足といった問題を生ずる原因となる。
このようなことから、例えば、特許文献１ではつぎのように構成した誤接続を防止するようにしたコネクタが提案されている。
このコネクタでは、プラグあるいはソケットのハウジングの位置を可変できる構造とし、同種のコネクタを複数使用した場合において、ハウジングの位置が一致しない場合は、プラグとソケットとが物理的に接続不可能になるという構成が採用されている。
【特許文献１】特開平８−３１５１６号公報
【発明の開示】
【発明が解決しようとする課題】
【０００６】
ところで、プロジェクターの光源は前述の通り、発光管と発光管からの光を反射するリフレクタを備えており、ビジネスモデルとホームモデルの両方に安価な光源を製造するためには、発光管のみを変更することが有利である。
このような構成により発光管のみ変更することで、低コストな交換ランプユニットを製造することができ、安価で提供することが可能となる。
また、上記したようにホームモデルとビジネスモデルで光学系が異なるため、光学系及び光源を保持する部材を含む筐体側と、筐体と取外し可能な光源側とに、誤組み込みを防止するための構成を設ける必要がある。
しかしながら、上記従来例の特許文献１における誤接続を防止するようにした構成では、プラグあるいはソケットのハウジングの位置が同一であり、同種のコネクタを複数使用した場合等において誤組み込みを防止する構成等については、何ら考慮されていない。
【０００７】
本発明は、上記課題に鑑み、ランプユニットと、該ランプユニットを組み込み可能とした組み込み部材とを対とする複数種類の組立体を、同一の構成を備えた投射型画像表示装置の筐体ユニットに収納するに当たり、
異種類の組立体間での一方のランプユニットが他方の組み込み部材に組み込まれることを、容易に防止できるようにしたランプユニットシステム、該ランプユニットシステムによる投射型画像表示装置を提供することを目的とするものである。
【課題を解決するための手段】
【０００８】
本発明は、上記課題を達成するために、以下のように構成したランプユニットシステムによる投射型画像表示装置を提供するものである。
本発明のランプユニットシステムは、ランプユニットと、前記ランプユニットを投射型画像表示装置の筐体ユニットに収納するための収納部材とを有し、
前記ランプユニット及び前記収納部材は、予め定められた種類のランプユニットとは異なる種類のランプユニットが前記収納部材へ組み込まれることを防止する防止手段を有することを特徴としている。
また、本発明のランプユニットシステムは、前記防止手段は、前記ランプユニット及び収納部材に取外し可能であることを特徴としている。
また、本発明のランプユニットシステムは、前記ランプユニットの防止手段は突出部で構成され、予め定められた種類のランプユニットとは異なる種類のランプユニットと前記収納部材を組み合わせた場合には、
前記突出部が前記収納部材の防止手段に当接し、前記収納部材への前記ランプユニットの組み込みが阻止されることを特徴としている。
また、本発明のランプユニットシステムは、前記収納部材の防止手段は突出部で構成され、予め定められた種類のランプユニットとは異なる種類のランプユニットと前記収納部材を組み合わせた場合には、
前記突出部が前記ランプユニットの防止手段に当接し、前記収納部材への前記ランプユニットの組み込みが阻止されることを特徴としている。
また、本発明のランプユニットシステムは、前記ランプユニット及び前記収納部材の防止手段は突出部で構成され、
予め定められた種類のランプユニットとは異なる種類のランプユニットと前記収納部材を組み合わせた場合には、
前記ランプユニット及び前記収納部材の前記突出部が相互に当接し、前記組み込み部材への前記ランプユニットの組み込みが阻止されることを特徴としている。
また、本発明の投射型画像表示装置は、上記したいずれかに記載のランプユニットシステムを用いて構成されることを特徴としている。
【発明の効果】
【０００９】
本発明によれば、ランプユニットと、該ランプユニットを組み込み可能とした組み込み部材とを対とする複数種類の組立体を、同一の構成を備えた投射型画像表示装置の筐体ユニットに収納するに当たり、
異種類の組立体間での一方のランプユニットが他方の組み込み部材に組み込まれることを、容易に防止できるようにしたランプユニットシステム、該ランプユニットシステムによる投射型画像表示装置を実現することができる。
【発明を実施するための最良の形態】
【００１０】
以上の構成によれば、前記ランプユニット及び組み込み部材にそれぞれ誤組込み防止手段を設け、前記組立体における異種類の組立体間での一方のランプユニットと他方の組み込み部材とを対とする組み合わせを、容易に阻止することが可能となる。
これにより、例えば、前記ランプユニットに設けられたランプを点灯するための電源側と接続されている前記組み込み部材側のプラグと、ランプユニット側に設けられているソケットとの誤接続が防止できる。
したがって、例えば、照度の低いホームモデルのランプユニットに、照度が高いビジネスモデルの光源点灯側との誤接続が防止でき、これら誤接続による光源ランプの短寿命化や、照度不良といった問題を未然に防ぐことが可能となる。
また、誤組込み防止手段を、突出部による構成を採ることで、１部品より構成することができ、安価に製造することが可能となる。
また、誤組込み規制手段を取外し可能に構成することで、他部品の共通化を容易に図ることが可能となる。
【実施例】
【００１１】
以下に、本発明の実施例について説明する。
［実施例１］
実施例１においては、本発明を適用した投射型画像表示装置（投射表示装置）について説明する。
図１に、本実施例の投射型画像表示装置の構成を説明する分解斜視図を示す。
図１において、１は第１の光源ランプ、２はランプ１を保持するランプホルダー、３は防爆ガラス、４はガラス押さえである。
αはランプ１からの光を入射する照明光学系、βは照明光学系からの出射光を入射するＲＧＢの３色用の液晶パネルを備えた色分解合成光学系である。
５は色分解合成光学系からの出射光を入射して図示せぬスクリーン（被投射面）に画像を投射する投射レンズ鏡筒であり、投射レンズ鏡筒５内には後述する投射レンズ光学系を収納している。
６は光学ボックスであり、この光学ボックス６には上記した第１の光源ランプ１、照明光学系α、色分解合成光学系β等が収納されると共に、投射レンズ５が固定される。
また、この光学ボックス６には、第１の光源ランプ１の周囲を囲むランプ周辺部材としてのランプケース部材が形成されている。
【００１２】
７は光学ボックス蓋であり、光学ボックス蓋７によって上記光学ボックス６内に照明光学系α、色分解合成光学系β等を収納した状態で蓋をする。
８は電源、９は電源フィルタ、１０は電源８と合体し第１の光源ランプ１を点灯するためのバラスト電源である。
１１は電源８からの電力により液晶パネルの駆動、及びランプ１の点灯指令を送るための回路基板である。
１２Ａ、１２Ｂは後述する外装キャビネット２１の吸気口２１ａから空気を吸い込むことで色分解合成光学系β内の液晶パネル等の光学素子を冷却するための光学系用の冷却ファンＡ及び冷却ファンＢである。
１３は光学冷却ファン１２による風を色分解合成光学系β内の液晶パネル等の光学素子に送るためのＲＧＢダクトＡである。
【００１３】
１４はランプ１に対して吹き付け風を送り、第１の光源ランプ１を冷却するための光源ランプ用の冷却ファンである。
１５はランプ冷却ファン１４を保持しつつ冷却風をランプに送るためのランプダクトＡであり、１６は冷却ファン１４を押さえて１５のランプダクトＡと合わせてダクトを構築するためのランプダクトＢである。
１７は後述する外装キャビネット２１に設けた吸気口２１ｂから空気を吸い込んで電源８とバラスト電源１０内に風を流通させることで電源８及びバラスト電源１０を同時に冷却するための電源用の冷却ファンである。
１８は排気ファンであり、排気ファン１８はランプ冷却ファン１４によるランプ１を通過した後の熱風を排出する。
【００１４】
１９はランプ排気ルーバーＡ、２０はランプ排気ルーバーＢであり、ランプ１からの光が装置外部に漏れないような遮光機能を有している。
２１は光学ボックス６等を収納するための外装キャビネット（外装ケース下部）、２２は外装キャビネット２１に光学ボックス６等を収納した状態で蓋をするための外装キャビネット蓋（外装ケース上部）である。
２３は側板Ａ、２４は側板Ｂであり、外装キャビネット２１には上述した吸気口２１ａ、２１ｂが形成されており、側板Ｂ２４には排気口が形成されている。
２５は各種信号を取り込むコネクタが搭載されるインターフェース基板、２６は側板Ａ２３の内側に取り付けられたインターフェース補強板である。
２７はランプ１からの排気熱を１８の排気ファンまで導き、装置内部に排気風を放散させないためのランプ排気ボックスであり、１９のランプ排気ルーバーＡと２０のランプ排気ルーバーＢを保持する。
【００１５】
２８はランプ蓋であり、ランプ蓋２８は外装キャビネット２１の底面に着脱自在に設けられており、図示を省略したビスにより固定されている。
２９はセット調整脚であり、セット調整脚２９は外装キャビネット２１に固定されており、その脚部２９ａの高さを調整可能となっている。脚部２９ａの高さ調整により、装置本体の傾斜角度を調整できるように構成されている。
３０は外装キャビネット２１の吸気口２１ａ外側に取り付く不図示のフィルタを押えるＲＧＢ吸気プレートである。
３１はβの色分解合成光学系を保持するプリズムベース、３２はβの色分解合成光学系の光学素子と反射型液晶表示素子を冷却するために１２Ａ・１２Ｂの冷却ファンＡ・冷却ファンＢからの冷却風を導くためのダクト形状部を有するボックスサイドカバーである。
３３は３２のボックスサイドカバーと合わせることでダクトを形成するためのＲＧＢダクトＢである。
３４はβの色分解合成光学系内に配置されるところの、反射型液晶表示素子から出ているＦＰＣが接続され、１１の回路基板に接続されるＲＧＢ基板である。
３５は３４のＲＧＢ基板に電気ノイズが入り込まないようにするためのＲＧＢ基板カバーである。
【００１６】
次に、前述したランプ１、照明光学系α、色分解合成光学系β、投射レンズ５にて構成される反射型液晶表示素子（反射型液晶パネル等の画像形成素子）を搭載した投射型画像表示装置について説明する。
図２に上記投射型画像表示装置の光学構成を説明する図を示す。
図２において、４１は連続スペクトルで白色光を発光する発光管、４２は発光管４１からの光を所定の方向に集光するリフレクタであり、これらの発光管４１とリフレクタ４２によりランプ１を形成する。
４３ａは水平方向（ランプ１からの光の進行方向における水平方向（紙面垂直方向））において屈折力を有するレンズアレイで構成された第１のシリンダアレイである。
４３ｂは第１のシリンダアレイ４３ａの個々のレンズに対応したレンズアレイを有する第２のシリンダアレイである。
４４は紫外線吸収フィルタ。４５は無偏光光を所定の偏光光に揃える偏光変換素子である。
４６は垂直方向において屈折力を有するシリンドリカルレンズで構成されたフロントコンプレッサ、４７は光軸を８８度変換する為の全反射ミラーである。
４３ｃは垂直方向（ランプ１からの光の進行方向における垂直方向（紙面垂直方向））において屈折力を有するレンズアレイで構成された第３のシリンダアレイである。
４３ｄは第３のシリンダアレイ４３ｃの個々のレンズに対応したレンズアレイを有する第４のシリンダアレイである。
５０は色座標をある値に調整するために特定波長域の色をランプに戻すためのカラーフィルタ、４８はコンデンサーレンズ、４９は垂直方向において屈折力を有するシリンドリカルレンズで構成されたリアコンプレッサである。
以上部材により、照明光学系αが構成される。
【００１７】
５８は青（Ｂ）と赤（Ｒ）の波長領域の光を反射し、緑（Ｇ）の波長領域の光を透過するダイクロイックミラー。５９は透明基板に偏光素子を貼着したＧ用の入射側偏光板であり、Ｐ偏光光のみを透過する。６０はＰ偏光光を透過し、Ｓ偏光光を反射する第１の偏光ビームスプリッターであり、偏光分離面を有する。
６１Ｒ，６１Ｇ，６１Ｂはそれぞれ入射した光を反射するとともに画像変調する赤用の反射型液晶表示素子、緑用の反射型液晶表示素子、青用の反射型液晶表示素子である。６２Ｒ，６２Ｇ，６２Ｂはそれぞれ、赤用の１／４波長板、緑用の１／４波長板、青用の１／４波長板である。６４ａはＲの色純度を高めるためにオレンジ光をランプに戻すトリミングフィルタで、６４ｂは透明基板に偏光素子を貼着したＲＢ用の入射側偏光板であり、Ｐ偏光のみを透過する。６５はＲの光の偏光方向を９０度変換し、Ｂの光の偏光方向は変換しない色選択性位相差板である。６６はＰ偏光を透過し、Ｓ偏光を反射する第２の偏光ビームスプリッターであり、偏光分離面を有する。
６８ＢはＢ用出射側偏光板（偏光素子）であり、ＢのＳ偏光のみを整流し、６８ＧはＳ偏光のみを透過させるＧ用出側偏光板、６９はＲＢ光を透過し、Ｇ光を反射するダイクロイックプリズムである。
【００１８】
以上のダイクロイックミラー５８から６９のダイクロイックプリズムにより、色分解合成光学系βが構成される。
ここでＰ偏光とＳ偏光の定義を明確にすると、４５の偏光変換素子では、Ｐ偏光をＳ偏光に変換するが、ここでゆうＰ偏光とＳ偏光は４５の偏光変換素子を基準として述べている。
一方、５８のダイクロイックミラーに入射する光は６０と６６の偏光ビームスプリッター基準で考えるのでＰ偏光光が入射するものとする。
４５の偏光変換素子から射出された光はＳ偏光だが、同じＳ偏光光を５８のダイクロイックミラーに入射する光をＰ偏光光として本実施例では定義する。
【００１９】
次に、光学的な作用を説明する。
発光管４１から発した光はリフレクタ４２により所定の方向に集光される。
リフレクタ４２は放物面形状を有しており、放物面の焦点位置からの光は放物面の対称軸に平行な光束となる。但し、発光管４１からの光源は理想的な点光源ではなく有限の大きさを有しているので、集光する光束には放物面の対称軸に平行でない光の成分も多く含まれている。
これらの光束は、第１のシリンダアレイ４３ａに入射する。
第１のシリンダアレイ４３ａに入射した光束は、それぞれのシリンダレンズに応じた複数の光束に分割、集光される（垂直方向に帯状の複数の光束）。
そして、紫外線吸収フィルタ４４を介して、第２のシリンダアレイ４３ｂを経て、複数の光束（垂直方向に帯状の複数の光束）を偏光変換素子４５の近傍に形成する。
【００２０】
偏光変換素子４５は、偏光分離面と反射面と１／２波長板とからなり、複数の光束は、その列に対応した偏光分離面に入射し、透過するＰ偏光成分の光と反射するＳ偏光成分の光に分割される。
反射されたＳ偏光成分の光は反射面で反射し、Ｐ偏光成分と同じ方向に出射する。
一方、透過したＰ偏光成分の光は、１／２波長板を透過してＳ偏光成分と同じ偏光成分に変換され、偏光方向が揃った光として出射する。
偏光変換された複数の光束（垂直方向に帯状の複数の光束）は、偏光変換素子４５を出射した後、フロントコンプレッサ４６を介して、反射ミラー４７にて８８度反射し、第３のシリンダアレイ４３ｃに入射する。
第３のシリンダアレイ４３ｃに入射した光束はそれぞれのシリンダレンズに応じた複数の光束に分割、集光され（水平方向に帯状の複数の光束）、第４のシリンダアレイ４３ｄを経て、複数の光束（水平方向に帯状の複数の光束）となる。
そして、コンデンサーレンズ４８、リアコンプレッサ４９に至る。
【００２１】
ここで、フロントコンプレッサ４６、コンデンサーレンズ４８、リアコンプレッサ４９の光学的作用の関係で、複数の光束は矩形形状の像が重なった形で矩形の均一な照明エリアが形成されることになる。
この照明エリアに後述の反射型液晶表示素子６１Ｒ、６１Ｇ、６１Ｂを配置する。
次に、偏光変換素子４５によりＳ偏光とされた光は、ダイクロイックミラー５８に入射する。尚、ダイクロイックミラー５８は、Ｂ（４３０〜４９５ｎｍ）とＲ（５９０〜６５０ｎｍ）の光は反射し、Ｇ（５０５〜５８０ｎｍ）の光は透過する。
【００２２】
次に、Ｇの光路について説明する。
ダイクロイックミラー５８を透過したＧの光はＧ用入射側偏光板５９に入射する。尚、Ｇの光はダイクロイックミラー５８によって分解された後もＰ偏光（４５の偏光変換素子基準の場合はＳ偏光）となっている。
そしてＧの光は、Ｇ用入射側偏光板５９から出射した後、第１の偏光ビームスプリッター６０に対してＰ偏光として入射して偏光分離面で透過して、Ｇ用の反射型液晶表示素子６１Ｇへと至る。
Ｇ用の反射型液晶表示素子６１Ｇにおいては、Ｇの光が画像変調されて反射される。
画像変調されたＧの反射光のうちＰ偏光成分は、再び第１の偏光ビームスプリッター６０の偏光分離面で透過して光源側に戻され、投射光から除去される。
一方、画像変調されたＧの反射光のうちＳ偏光成分は、第１の偏光ビームスプリッター６０の偏光分離面で反射され、投射光としてダイクロイックプリズム６９に向かう。
このとき、すべての偏光成分をＰ偏光に変換した状態（黒を表示した状態）において、第１の偏光ビームスプリッター６０とＧ用の反射型液晶表示素子６１Ｇとの間に設けられた１／４波長板６２Ｇの遅相軸を所定の方向に調整する。これにより、第１の偏光ビームスプリッター６０とＧ用の反射型液晶表示素子６１Ｇで発生する偏光状態の乱れの影響を小さく抑えることができる。
第１の偏光ビームスプリッター６０から出射したＧの光は、第３の偏光ビームスプリッター６９に対してＳ偏光として入射し、ダイクロイックプリズム６９のダイクロイック膜面でＧ光を反射して投射レンズ５へと至る。
【００２３】
一方、ダイクロイックミラー５８を反射したＲとＢの光は、入射側偏光板６４ｂに入射する。尚、ＲとＢの光はダイクロイックミラー５８によって分解された後もＰ偏光となっている。
そして、ＲとＢの光は、トリミングフィルタ６４ａでオレンジ光をカットされた後、６４ｂの入射側偏光板から出射し、色選択性位相差板６５に入射する。
色選択性位相差板６５は、Ｒの光のみ偏光方向を９０度回転する作用を持っており、これによりＲの光はＳ偏光として、Ｂの光はＰ偏光として第２の偏光ビームスプリッター６６に入射する。
Ｓ偏光として第２の偏光ビームスプリッター６６に入射したＲの光は、第２の偏光ビームスプリッター６６の偏光分離面で反射され、Ｒ用の反射型液晶表示素子６１Ｒへと至る。
また、Ｐ偏光として第２の偏光ビームスプリッター６６に入射したＢの光は、第２の偏光ビームスプリッター６６の偏光分離面を透過してＢ用の反射型液晶表示素子６１Ｂへと至る。
【００２４】
Ｒ用の反射型液晶表示素子６１Ｒに入射したＲの光は画像変調されて反射される。
画像変調されたＲの反射光のうちＳ偏光成分は、再び第２の偏光ビームスプリッター６６の偏光分離面で反射されて光源側に戻され、投射光から除去される。
一方、画像変調されたＲの反射光のうちＰ偏光成分は第２の偏光ビームスプリッター６６の偏光分離面を透過して投射光として６９のダイクロイックプリズムに向かう。
また、Ｂ用の反射型液晶表示素子６１Ｂに入射したＢの光は画像変調されて反射される。
画像変調されたＢの反射光のうちＰ偏光成分は、再び第２の偏光ビームスプリッター６６の偏光分離面を透過して光源側に戻され、投射光から除去される。
一方、画像変調されたＢの反射光のうちＳ偏光成分は第２の偏光ビームスプリッター６６の偏光分離面で反射して投射光として６９のダイクロイックプリズムに向かう。
このとき、第２の偏光ビームスプリッター６６とＲ用，Ｂ用の反射型液晶表示素子６１Ｒ，６１Ｂの間に設けられた１／４波長板６２Ｒ，６２Ｂの遅相軸を調整する。これにより、Ｇの場合と同じようにＲ，Ｂそれぞれの黒の表示の調整を行うことができる。
【００２５】
こうして１つの光束に合成され、第２の偏光ビームスプリッター６６から出射したＲとＢの投射光のうちＢの光は、出射側偏光板６８Ｂで検光されて６９のダイクロイックプリズムに入射する。
また、Ｒの光はＰ偏光のまま６８Ｂの偏光板をそのまま透過し、６９のダイクロイックプリズムに入射する。
尚、出射側偏光板６８Ｂで検光されることにより、Ｂの投射光は第２の偏光ビームスプリッター６６とＢ用の反射型液晶表示素子６１Ｂ、１／４波長板６２Ｂを通ることによって生じた無効な成分をカットされた光となる。
そして、６９のダイクロイックプリズムに入射したＲとＢの投射光は６９のダイクロイックプリズムのダイクロイック膜面を透過し、前述した該ダイクロイック膜面にて反射したＧの光と合成されて投射レンズ５に至る。
そして、合成されたＲ，Ｇ，Ｂの投射光は、投射レンズ５によってスクリーンなどの被投射面に拡大投影される。
以上が、反射型液晶表示素子（反射型液晶パネル）を使用した投射型画像表示装置での光学構成である。
【００２６】
次に、本発明を適用した本実施例の特徴的構成について説明する。
図３に、本実施例における第１の筐体ユニットと第１の光源ユニットを取付ける際の位相を示した第１斜視図を示す。
図４に、本実施例における第１の筐体ユニットと第１の光源ユニットを取付ける際の位相を示した第２斜視図を示す。
図５に、本実施例における第１の光源側の誤組込み防止板と、第１の筐体ユニットに収納される光学ボックス側の第１の切り欠きとが、互いに干渉しない位置関係で装着された状態の断面斜視図を示す。
図６に、本実施例における第２の筐体ユニットと第２の光源ユニットを取付ける際の位相を示した第１斜視図を示す。
図７に、本実施例における第２の筐体ユニットと第２の光源ユニットを取付ける際の位相を示した第２斜視図を示す。
図８に、本実施例における第２の光源側の誤組込み防止板と、光学ボックス側の第２の切り欠きとが、互いに干渉しない位置関係で装着された状態の断面斜視図を示す。
図９に、本実施例における第２の切り欠きを塞ぐ第１の筐体側誤組込み防止板と、第２の光源側誤組込み防止板が干渉しあい、第１の筐体ユニットの光学ボックスと第２の光源ユニットとの装着が不可能な状態の断面斜視図を示す。
図１０に、本実施例における第１の切り欠きを塞ぐ第２の筐体側誤組込み防止板と、第１の光源側誤組込み防止板が干渉しあい、第２の筐体ユニットの光学ボックスと第１の光源ユニットとの装着が不可能な状態の断面斜視図を示す。
【００２７】
まず、図３〜図５を用いて、第１の筐体ユニットに収納される光学ボックスと第１の交換ランプユニットとの装着構成について説明する。
図３〜図５において、１０１−１は第１の筐体ユニット、８０−１は第１の交換ランプユニット、６−１は第１の筐体ユニット１０１−１に収納可能に構成された光学ボックスである。
ここで、第１の筐体ユニット１０１−１は図１に示す投射型表示装置と同一の構成を備えているので、説明を割愛する。
第１の交換ランプユニット８０−１は、この第１の筐体ユニット１０１−１に収納される光学ボックス６−１に組み込み可能に構成されており、取外し作業を容易にするためランプホルダー２にはヒンジを有している。
また、第１の交換ランプユニット８０−１は第１の光源ランプ１と、第１の光源ランプ１を保持するランプホルダー２と、第１の光源ランプ１をランプホルダー２に保持する弾性部材８１、８２、８３、８４を有している。
ここで、４１は第１の光源ランプ１のランプ発光管であり、４２は第１の光源ランプ１のリフレクタである。
また、この第１の交換ランプユニット８０−１は、さらにランプホルダー２の前面に設置される防爆ガラス３と、ランプホルダー２に防爆ガラス３を保持するためのガラス押さえ４とを有している。
さらにまた、この第１の交換ランプユニット８０−１はランプホルダー２に取付け可能に構成されるプラグ８５と、プラグ８５の近傍にランプホルダー２と取外し可能に構成される第１の光源側誤組込み防止板７６を有している。
【００２８】
また、第１の筐体ユニット１０１−１に収納された光学ボックス６−１には、バラスト電源１０よりコードを介し、プラグ８５と導通するソケット９５が取付け可能な構成を有している。
第１の交換ランプユニット８０−１が取付けられる光学ボックス６−１に、第１の切り欠き７４と、第２の切り欠き７５を有している。
第２の切り欠き７５には、第２の切り欠き７５を塞ぐ第１の筐体側誤組込み防止板７７を備えている。この第１の筐体側誤組込み防止板７７は、光学ボックス６−１に取外し可能に構成されている。
ここで、第１の筐体ユニット１０１−１に収納された光学ボックス６−１に第１の交換ランプユニット８０−１を組み付けるに際し、図５に示されるように、第１の光源側の誤組込み防止板７６と、光学ボックス６−１側の第１の切り欠き７４は、互いに干渉しない位置関係にある。
【００２９】
つぎに、図６〜図８を用いて、第２の筐体ユニットに収納される光学ボックスと第２の交換ランプユニットとの装着構成について説明する。
図６〜図８において、２０１−１は第２の筐体ユニット、９０−１は第２の交換ランプユニット、６−２は第２の筐体ユニット２０１に収納可能に構成された光学ボックスである。
ここで、第２の筐体ユニット２０１−１は図１に示す投射型表示装置と同一の構成を備えているので、説明を割愛する。
第２の交換ランプユニット９０−１は、この第２の筐体ユニット２０１−１に収納される光学ボックス６−２と組み込み可能に構成されている。
また、第２の交換ランプユニット９０−１は第１の光源ランプ１におけるランプ発光管４１と仕様の異なる第２のランプ発光管４０１を搭載した第２の光源ランプ４０２と、第２の光源ランプ４０２を保持するランプホルダー２を有している。なお、４２は第２の光源ランプ４０２のリフレクタである。
また、第２の交換ランプユニット９０−１は、第２の光源ランプ４０２をランプホルダー２に保持する弾性部材８１、８２、８３、８４を有している。
また、第２の交換ランプユニット９０−１は、さらにランプホルダー２の前面に設置される防爆ガラス３と、ランプホルダー２に防爆ガラス３を保持するためのガラス押さえ４とを有している。
【００３０】
また、第２の交換ランプユニット９０−１は、さらにまたランプホルダー２に取付け可能に構成されるプラグ８５と、プラグ８５の近傍にランプホルダー２と取外し可能に構成される第２の光源側誤組込み防止板７８を有している。
また、第２の交換ランプユニット９０−１は、光学ボックス６−２と取付け可能な構成を有している。
また、第２の筐体ユニット２０１−１に収納された光学ボックス６−２には、バラスト電源１０よりコードを介し、プラグ８５と導通するソケット９５が取付け可能な構成を有している。
そして、第２の交換ランプユニット９０−１が取付けられる光学ボックス６−２には、第１の筐体ユニット１０１−１と光学ボックス６−１と同形状の第１の切り欠き７４と、第２の切り欠き７５を有している。
また、この第１の切り欠き７４は、第１の切り欠き７４を塞ぐ第２の筐体側誤組込み防止板７９を備えている。この第２の筐体側誤組込み防止板７９は、光学ボックス６−２に取外し可能に構成されている。
ここで、第２の筐体ユニット２０１−１に収納された光学ボックス６−２に第２の交換ランプユニット９０−１を組み付けるに際し、図８に示されるように、互いに干渉しない位置関係にある。
すなわち、第２の光源側の誤組込み防止板７８と、光学ボックス６−２側の第２の切り欠き７５は、互いに干渉しない位置関係にある。
【００３１】
一方、第１の筐体ユニット１０１−１と第２の交換ランプユニット９０−１を組付けようと試みた場合、図９に示すように、組込みが不可能となる。
すなわち、第２の切り欠き７５を塞ぐ第１の筐体側誤組込み防止板７７と、第２の光源側誤組込み防止板７８が干渉しあうため、組込みが不可能となる。
また、第２の筐体ユニット２０１−１と第１の交換ランプユニット８０−１を組付けようと試みた場合、図１０に示すように、第１の切り欠き７４を塞ぐ第２の筐体側誤組込み防止板７９と、第１の光源側誤組込み防止板７６が干渉しあうため、組込みが不可能となる。
【００３２】
以上の本実施例の構成によれば、異なる機種同士において、構成が同一であっても容易に誤接続が防止でき、誤接続による第１の光源ランプ１および第２の光源ランプ４０２の短寿命や爆発といった問題を未然に防ぐことが可能である。
また、誤組込み防止板は簡易形状であり、１部品より構成されるので安価に製造可能であり、低コストでの製品生産が実現できる。
また、本実施例の誤組込み防止構成は２つとして説明しているが、これは３つ以上であっても同様の効果が得られることは言うまでもない。
また、第１の光源側誤組込み防止板７６と、第２の光源側誤組込み防止板７８は近接する第１の光源ランプ１および第２の光源ランプ４０２の、コードの位置を制御する形状を有している。
そのため、第１の光源ランプ１および第２の光源ランプ４０２をランプホルダー２に組込むときに、誤ってリフレクタ４２にコードが接するのを防止することができる。
これにより、第１の光源ランプ１および第２の光源ランプ４０２の、点灯時の発熱によってコードが溶け、第１の光源ランプ１および第２の光源ランプ４０２がランプの不点灯を起こす心配をなくすことができる。
【００３３】
［実施例２］
次に、実施例２における筐体ユニットに収納される光学ボックスと交換ランプユニットとの誤接続を防止した構成について説明する。
図１１に、本実施例における第１の筐体ユニットと第１の光源ユニットを取付ける際の位相を示した第１斜視図を示す。
図１２に、本実施例における第１の筐体ユニットと第１の光源ユニットを取付ける際の位相を示した第２斜視図を示す。
図１３に、本実施例における第１の光源側誤組込み防止板と、第１の筐体側誤組込み防止板とが、互いに干渉しない位置関係で装着された状態の断面斜視図を示す。
図１４に、本実施例における第２の筐体ユニットと第２の光源ユニットを取付ける際の位相を示した第１斜視図を示す。
図１５に、本実施例における第２の筐体ユニットと第２の光源ユニットを取付ける際の位相を示した第２斜視図を示す。
図１６に、本実施例における第２の光源側誤組込み防止板と、第２の筐体側誤組込み防止板とが、互いに干渉しない位置関係で装着された状態の断面斜視図を示す。
図１７に、本実施例における第１の筐体側誤組込み防止防止板と第２の光源側誤組込み防止板が干渉しあい、第１の筐体ユニットの光学ボックスと第２の光源ユニットとの装着が不可能な状態の断面斜視図を示す。
図１８に、本実施例における第２の筐体側誤組込み防止防止板９７と第１の光源側誤組込み防止板８６が干渉しあい、第２の筐体ユニットの光学ボックスと第１の光源ユニットとの装着が不可能な状態の断面斜視図を示す。
【００３４】
まず、図１１〜図１３を用いて、第１の筐体ユニットに収納される光学ボックスと第１の交換ランプユニットとの装着構成について説明する。
図１１〜図１３において、１０１−２は第１の筐体ユニット、８０−２は第１の交換ランプユニット、６−３は第１の筐体ユニット１０１−２に収納可能に構成された光学ボックスである。
ここで、第１の筐体ユニット１０１−２は図１に示す投射型表示装置と同一の構成を備えているので、説明を割愛する。
第１の交換ランプユニット８０−２は、この第１の筐体ユニット１０１−２に収納される光学ボックス６−３に組み込み可能に構成とされている。
また、第１の交換ランプユニット８０−２は、第１の光源ランプ１と、第１の光源ランプ１を保持するランプホルダー２と、第１の光源ランプ１をランプホルダー２に保持する弾性部材８１、８２、８３、８４を有している。
ここで、４１は第１の光源ランプ１のランプ発光管であり、４２は第１の光源ランプ１のリフレクタである。
また、この第１の交換ランプユニット８０−２は、さらにランプホルダー２の前面に設置される防爆ガラス３と、ランプホルダー２に防爆ガラス３を保持するためのガラス押さえ４とを有している。
さらにまた、この第１の交換ランプユニット８０−２はランプホルダー２に取付け可能に構成されるプラグ８５と、プラグ８５の近傍にランプホルダー２と取外し可能に構成される第１の光源側誤組込み防止板８６を有している。
【００３５】
また、第１の筐体ユニット１０１−２に収納された光学ボックス６−３には、バラスト電源１０よりコードを介し、プラグ８５と導通するソケット９５が取付け可能な構成を有している。
そして、光学ボックス６−３における第１の交換ランプユニット８０−２が取付けられる位置、つまりソケット９５の近傍に第１の筐体側誤組込み防止板８７を有している。この第１の筐体側誤組込み防止板８７は、光学ボックス６−３に取外し可能に構成されている。
ここで、第１の筐体ユニット１０１−２に収納された光学ボックス６−３に第１の交換ランプユニット８０−２を組み付けるに際し、図１３に示されるように、干渉しない位置関係にある。
すなわち、第１の光源側誤組込み防止板８６と、第１の筐体側誤組込み防止板８７は、互いに干渉しない位置関係にある。
【００３６】
つぎに、図１４〜図１６を用いて、第２の筐体ユニットに収納される光学ボックスと第２の交換ランプユニットとの装着構成について説明する。
図１４〜図１６において、２０１−２は第２の筐体ユニット、９０−２は第２の交換ランプユニット、６−４は第２の筐体ユニット２０１−２に収納可能に構成された光学ボックスである。
ここで、第２の筐体ユニット２０１−２は図１に示す投射型表示装置と同一の構成を備えているので、説明を割愛する。
第２の交換ランプユニット９０−２は、この第２の筐体ユニット２０１−２に収納される光学ボックス６−４に組み込み可能に構成されている。
また、第２の交換ランプユニット９０−２は第１の光源ランプ１におけるランプ発光管４１と仕様の異なる第２のランプ発光管４０１を搭載した第２の光源ランプ４０２と、第２の光源ランプ４０２を保持するランプホルダー２を有している。なお、４２は第２の光源ランプ４０２のリフレクタである。
また、第２の交換ランプユニット９０−２は、第２の光源ランプ４０２をランプホルダー２に保持する弾性部材８１、８２、８３、８４を有している。
また、第２の交換ランプユニット９０−２は、さらにランプホルダー２の前面に設置される防爆ガラス３と、ランプホルダー２に防爆ガラス３を保持するためのガラス押さえ４とを有している。
また、第２の交換ランプユニット９０−２は、さらにまたランプホルダー２に取付け可能に構成されるプラグ８５と、プラグ８５の近傍にランプホルダー２と取外し可能に構成される第２の光源側誤組込み防止板９６を有している。
また、第２の交換ランプユニット９０−２は、光学ボックス６−４と取付け可能な構成を有している。
【００３７】
また、第２の筐体ユニット２０１−２に収納された光学ボックス６−４には、バラスト電源１０よりコードを介し、プラグ８５と導通するソケット９５が取付け可能な構成を有している。
そして、光学ボックス６−４における第２の交換ランプユニット９０−２が取付けられる位置、つまりソケット９５の近傍に第２の筐体側誤組込み防止板９７を有している。この第２の筐体側誤組込み防止板９７は、光学ボックス６−４に取外し可能に構成されている。
ここで、第２の筐体ユニット２０１−２に収納された光学ボックス６−４に第２の交換ランプユニット９０−２を組み付けるに際し、図１６に示されるように、干渉しない位置関係にある。
すなわち、第２の光源側誤組込み防止板９６と、第２の筐体側誤組込み防止板９７は、互いに干渉しない位置関係にある。
【００３８】
一方、第１の筐体ユニット１０１−２と第２の交換ランプユニット９０−２を組付けようと試みた場合、図１７に示すように、第１の筐体側誤組込み防止防止板８７と第２の光源側誤組込み防止板９６が干渉しあうため、組込みは不可能となる。
また、第２の筐体ユニット２０１−２と第１の交換ランプユニット８０−２を組付けようと試みた場合、図１８に示すように、第２の筐体側誤組込み防止防止板９７と第１の光源側誤組込み防止板８６が干渉しあうため、組込みは不可能となる。
【００３９】
以上の本実施例の構成によれば、異なる機種同士において、構成が同一であっても容易に誤接続が防止でき、誤点灯による第１の光源ランプ１および第２の光源ランプ４０２の短寿命や爆発といった問題を未然に防ぐことが可能となる。
また、誤組込み防止板は簡易形状であり、１部品より構成されるので安価に製造可能であり、低コストでの製品生産が実現できる。
また、本実施例の誤組込み防止構成は２つとして説明しているが、これは３つ以上であっても同様の効果が得られることは言うまでもない。
また、第１の光源側誤組込み防止板８６と、第２の光源側誤組込み防止板９６は近接する第１の光源ランプ１および第２の光源ランプ４０２のコードの位置を制御する形状を有している。
そのため、第１の光源ランプ１および第２の光源ランプ４０２をランプホルダー２に組込むときに誤ってリフレクタ４２にコードが接することを防止することができる。
これにより、第１の光源ランプ１および第２の光源ランプ４０１の点灯時の発熱によりコードが溶け、第１の光源ランプ１および第２の光源ランプ４０２がランプの不点灯を起こす心配をなくすことができる。
なお、以上の各実施例では、第１の筐体ユニットと第２の筐体ユニットの２つの筐体ユニット間の構成例について説明したが、本発明はこのような構成に限られるものではない。３つ以上の筐体ユニット間においても、同様の誤組み込みの防止が図れるものであることは、言うまでもないことである。
【図面の簡単な説明】
【００４０】
【図１】本発明の実施例１における投射型画像表示装置の構成を説明する分解斜視図。
【図２】本発明の実施例１における反射型液晶表示素子（反射型液晶パネル等の画像形成素子）を搭載した投射型画像表示装置の光学構成を説明する図。
【図３】本発明の実施例１における第１の筐体ユニットと第１の光源ユニットを取付ける際の位相を示した第１斜視図。
【図４】本発明の実施例１における第１の筐体ユニットと第１の光源ユニットを取付ける際の位相を示した第２斜視図。
【図５】本発明の実施例１における第１の光源側の誤組込み防止板と、第１の筐体ユニットに収納される光学ボックス側の第１の切り欠きとが、互いに干渉しない位置関係で装着された状態を示す断面斜視図。
【図６】本発明の実施例１における第２の筐体ユニットと第２の光源ユニットを取付ける際の位相を示した第１斜視図。
【図７】本発明の実施例１における第２の筐体ユニットと第２の光源ユニットを取付ける際の位相を示した第２斜視図。
【図８】本発明の実施例１における第２の光源側の誤組込み防止板と、光学ボックス側の第２の切り欠きとが、互いに干渉しない位置関係で装着された状態を示す断面斜視図。
【図９】本発明の実施例１における第２の切り欠きを塞ぐ第１の筐体側誤組込み防止板と、第２の光源側誤組込み防止板が干渉しあい、第１の筐体ユニットの光学ボックスと第２の光源ユニットとの装着が不可能な状態を示す断面斜視図。
【図１０】本発明の実施例１における第１の切り欠きを塞ぐ第２の筐体側誤組込み防止板と、第１の光源側誤組込み防止板が干渉しあい、第２の筐体ユニットの光学ボックスと第１の光源ユニットとの装着が不可能な状態を示す断面斜視図。
【図１１】本発明の実施例２における第１の筐体ユニットと第１の光源ユニットを取付ける際の位相を示した第１斜視図。
【図１２】本発明の実施例２における第１の筐体ユニットと第１の光源ユニットを取付ける際の位相を示した第２斜視図。
【図１３】本発明の実施例２における第１の光源側誤組込み防止板と、第１の筐体側誤組込み防止板とが、互いに干渉しない位置関係で装着された状態を示す断面斜視図。
【図１４】本発明の実施例２における第２の筐体ユニットと第２の光源ユニットを取付ける際の位相を示した第１斜視図。
【図１５】本発明の実施例２における第２の筐体ユニットと第２の光源ユニットを取付ける際の位相を示した第２斜視図。
【図１６】本発明の実施例２における第２の光源側誤組込み防止板と、第２の筐体側誤組込み防止板とが、互いに干渉しない位置関係で装着された状態を示す断面斜視図。
【図１７】本発明の実施例２における第１の筐体側誤組込み防止防止板と第２の光源側誤組込み防止板が干渉しあい、第１の筐体ユニットの光学ボックスと第２の光源ユニットとの装着が不可能な状態を示す断面斜視図。
【図１８】本発明の実施例２における第２の筐体側誤組込み防止防止板と第１の光源側誤組込み防止板が干渉しあい、第２の筐体ユニットの光学ボックスと第１の光源ユニットとの装着が不可能な状態を示す断面斜視図。
【符号の説明】
【００４１】
１：第１の光源ランプ
２：ランプホルダー
３：防爆ガラス
４：ガラス押さえ
５：投射レンズ
６−１、６−２、６−３、６−４：光学ボックス
７：光学ボックス蓋
８：電源
９：電源フィルタ
１０：バラスト電源
１１：回路基板
１２Ａ：光学冷却ファンＡ
１２Ｂ：光学冷却ファンＢ
１３：ＲＧＢダクトＡ
１４：ランプ冷却ファン（吹き付けファン）
１５：ランプダクトＡ
１６：ランプダクトＢ
１７：電源用冷却ファン
１８：排気ファン
１９：ランプ排気ルーバーＡ
２０：ランプ排気ルーバーＢ
２１：外装キャビネット
２２：外装キャビネット蓋（外装ケース）
２３：側板Ａ
２４：側板Ｂ
２５：インターフェース基板
２６：インターフェース補強板
２７：排気ボックス
２８：ランプ蓋
２９：セット調整脚
３０：外装キャビネット
３１：プリズムベース
３２：ボックスサイドカバー
３３：ＲＧＢダクトＢ
３４：ＲＧＢ基板
３５：ＧＢ基板カバー
４１：ランプ発光管（光源）
４２：リフレクタ
４３ａ：第１のシリンダーアレイ
４３ｂ：第２のシリンダーアレイ
４３ｃ：第３のシリンダーアレイ
４３ｄ：第４のシリンダーアレイ
４４：紫外線吸収フィルタ
４５：偏光変換素子
４６：フロントコンプレッサ
４７：全反射ミラー
４８：コンデンサーレンズ
４９：リアコンプレッサ
５０：カラーフィルタ
５８：ダイクロイックミラー
５９：Ｇ用入射側偏光板
６０：第１の偏光ビームスプリッター
６１：反射型液晶表示素子
６２：１／４波長板
６４ａ：トリミングフィルタ
６４ｂ：ＲＢ用入射側偏光板
６５：色選択性位相差板
６６：第２の偏光ビームスプリッター
６８Ｂ：Ｂ用出射側偏光板
６８Ｇ：Ｇ用出射側偏光板
６９：ダイクロイックプリズム
７４：第１の切り欠き
７５：第２の切り欠き
７６：第１の光源側誤組込み防止板
７７：第１の筐体側誤組込み防止板
７８：第２の光源側誤組込み防止板
７９：第２の筐体側誤組込み防止板
８０−１、８０−２：第１の交換ランプユニット
８１：ランプ保持部材
８２：ランプ保持部材
８３：ランプ保持部材
８４：ランプ保持部材
８５：プラグ
８６：第１の光源側誤組込み防止板
８７：第１の筐体側誤組込み防止板
８８：ヒンジ
９０−１、９０−２：第２の交換ランプユニット
９５：ソケット
９６：第２の光源側誤組込み防止板
９７：第２の筐体側誤組込み防止板
１０１−１、１０１−２：第１の筐体ユニット
２０１−１、２０１−２：第２の筐体ユニット
４０１：第２のランプ発光管
４０２：第２の光源ランプ
【図１】
2007212718.tif 000003
【図２】
2007212718.tif 000004
【図３】
2007212718.tif 000005
【図４】
2007212718.tif 000006
【図５】
2007212718.tif 000007
【図６】
2007212718.tif 000008
【図７】
2007212718.tif 000009
【図８】
2007212718.tif 000010
【図９】
2007212718.tif 000011
【図１０】
2007212718.tif 000012
【図１１】
2007212718.tif 000013
【図１２】
2007212718.tif 000014
【図１３】
2007212718.tif 000015
【図１４】
2007212718.tif 000016
【図１５】
2007212718.tif 000017
【図１６】
2007212718.tif 000018
【図１７】
2007212718.tif 000019
【図１８】
2007212718.tif 000020